(57)【特許請求の範囲】
【請求項１】
上型及び下型を備え、凸成形部が設けられた金型に繊維形態が不連続の繊維強化樹脂を供給する工程と、前記上型もしくは前記下型を移動させて前記繊維強化樹脂を加圧し、前記繊維強化樹脂を前記金型の形状に合わせて流動させる工程と、前記上型もしくは前記下型を移動させて前記金型を開き、凸形状部を有する樹脂成形品を取り出す工程を含む樹脂成形品の成形方法において、
前記金型には、前記凸形状部の形状に対応した金型通路と該金型通路内を摺動可能なピストンとが設けられ、これら金型通路及びピストンによって前記凸成形部が構成され、前記ピストンは、前記上型の前記繊維強化樹脂への加圧初期には前記繊維強化樹脂の母材面の位置に合わせてもしくは前記母材面の位置から出て配置されており、
前記繊維強化樹脂を流動させる工程において、前記ピストンが前記金型通路内を前記金型の端部方向へ向かって摺動されることを特徴とする樹脂成形品の成形方法。
【請求項２】
上型及び下型を備え、凸成形部が設けられた金型に繊維形態が不連続の繊維強化樹脂を供給する工程と、前記上型もしくは前記下型を移動させて前記繊維強化樹脂を加圧し、前記繊維強化樹脂を前記金型の形状に合わせて流動させる工程と、前記上型もしくは前記下型を移動させて前記金型を開き、凸形状部を有する樹脂成形品を取り出す工程を含む樹脂成形品の成形方法において、
前記金型には、前記凸形状部の形状に対応した金型通路と該金型通路内を摺動可能なピストンとが設けられ、これら金型通路及びピストンによって前記凸成形部が構成され、前記ピストンは、前記上型の前記繊維強化樹脂への加圧初期には前記繊維強化樹脂の母材面の位置に合わせてもしくはその近くに配置されており、
前記繊維強化樹脂は、熱可塑性繊維強化樹脂であり、
前記繊維強化樹脂を供給する工程において、前記繊維強化樹脂は、融点まで加熱された後に前記金型に供給され、
前記繊維強化樹脂を流動させる工程において、前記上型もしくは前記下型が前記繊維強化樹脂に接触して加圧を開始したときに、前記ピストンが前記金型通路内を前記金型の端部方向へ向かって摺動され、
前記樹脂成形品を取り出す工程において、前記繊維強化樹脂が冷却された後に前記金型が開かれることを特徴とする樹脂成形品の成形方法。
【請求項３】
前記ピストンは、通気性を有する素材によって形成されており、
前記繊維強化樹脂を流動させる工程において、前記ピストンが前記金型の端部まで摺動した後に、前記ピストンの裏側から前記ピストンを介して前記凸形状部への減圧引きが行われることを特徴とする請求項１また２に記載の樹脂成形品の成形方法。
【請求項４】
前記凸形状部への減圧引きは、前記繊維強化樹脂を流動させる工程の後半に減圧を大きくする過程を有していることを特徴とする請求項３に記載の樹脂成形品の成形方法。
【発明の詳細な説明】
【技術分野】
【０００１】
本発明は、熱可塑性繊維強化樹脂などのスタンピング成形において、リブ形状部、ボス形状部のような凸形状部を有する樹脂成形品を成形する樹脂成形品の成形方法に関する。
【背景技術】
【０００２】
従来から、熱可塑性繊維強化樹脂などをスタンピング成形した樹脂成形品は、各種部品や製品に用いられており、剛性向上を図るために、一体成形される高いリブやボス部を有している。ここで、熱可塑性繊維強化樹脂のスタンピング成形とは、予め加熱して溶融させた熱可塑性繊維強化樹脂をプレス機で加圧することにより、任意の形状の成形品を作製する方法である。このスタンピング成形において、従来の技術では、リブやボス部を成形するために、予め、金型にリブ成形部やボス成形部を設けており、プレス機で加圧することにより、溶融した熱可塑性繊維強化樹脂をリブ成形部やボス成形部に流動させ、リブやボス部を有する成形品の成形が行われている。
【０００３】
しかし、このような従来技術は、予め、金型にリブ成形部やボス成形部を設けて加圧成形を行うのみであり、強化繊維と樹脂との複合材料が金型内でリブ成形部やボス成形部に流動し難いため、高いリブやボス部の成形が困難となり、リブやボス部の先端が欠ける成形不良や強度不足を生じるおそれがあった。また、高い圧力や高い温度で圧縮成形すると、複合材料の流動性は高くなるが、樹脂分のみが流れて強化繊維が流動する複合材料の先端部分まで流れず、成形品の強化繊維の分布が偏った成形品となるおそれがあった。さらに、強化繊維の流動性を上げるために、繊維長さの短い短繊維を使用すると、成形品の強度が低下するおそれがあった。
【０００４】
一方、従来技術の中には、スタンピング成形において、リブやボス部の形状と長繊維の長さや含有量の相関関係から実現可能な比率で得られたシート状のプリプレグを積層して作製した流動性の良い基材を用いることにより、厚さが２．５ｍｍ以下のリブやボス部を成形した成形品が開示されている（例えば、特許文献１参照）。
【先行技術文献】
【特許文献】
【０００５】
【特許文献１】特開２０１１−１１３６２号公報
【発明の概要】
【発明が解決しようとする課題】
【０００６】
しかしながら、上述した特許文献１のスタンピング成形では、シート状のプリプレグを積層して作製した特殊な基材を用いることが前提であり、この特殊な基材を用いないと、高いリブやボス部を有する成形品を成形することができないので、汎用性に問題を有し、コスト高を招くおそれがあった。
【０００７】
本発明はこのような実状に鑑みてなされたものであって、その目的は、長繊維の流動性を促進して長繊維の分布状態や等方性を維持し、母材と同じ強度を確保しつつ良好な成形性を担保し、長繊維の長さや含有割合などに制限がなく、母材に必要な長繊維の長さを選択して成形品に必要な強度を与え、部品として必要な細かい形状の成形品を成形することが可能な樹脂成形品の成形方法を提供することにある。
【課題を解決するための手段】
【０００８】
上記従来技術の有する課題を解決するために、本発明は、上型及び下型を備え、凸成形部が設けられた金型に繊維形態が不連続の繊維強化樹脂を供給する工程と、前記上型もしくは前記下型を移動させて前記繊維強化樹脂を加圧し、前記繊維強化樹脂を前記金型の形状に合わせて流動させる工程と、前記上型もしくは前記下型を移動させて前記金型を開き、凸形状部を有する樹脂成形品を取り出す工程を含む樹脂成形品の成形方法において、前記金型には、前記凸形状部の形状に対応した金型通路と該金型通路内を摺動可能なピストンとが設けられ、これら金型通路及びピストンによって前記凸成形部が構成され、前記ピストンは、前記上型の前記繊維強化樹脂への加圧初期には前記繊維強化樹脂の母材面の位置に合わせてもしくは前記母材面の位置から出て配置されており、前記繊維強化樹脂を流動させる工程において、前記ピストンが前記金型通路内を前記金型の端部方向へ向かって摺動される。
【０００９】
また、本発明は、上型及び下型を備え、凸成形部が設けられた金型に繊維形態が不連続の繊維強化樹脂を供給する工程と、前記上型もしくは前記下型を移動させて前記繊維強化樹脂を加圧し、前記繊維強化樹脂を前記金型の形状に合わせて流動させる工程と、前記上型もしくは前記下型を移動させて前記金型を開き、凸形状部を有する樹脂成形品を取り出す工程を含む樹脂成形品の成形方法において、前記金型には、前記凸形状部の形状に対応した金型通路と該金型通路内を摺動可能なピストンとが設けられ、これら金型通路及びピストンによって前記凸成形部が構成され、前記ピストンは、前記上型の前記繊維強化樹脂への加圧初期には前記繊維強化樹脂の母材面の位置に合わせてもしくはその近くに配置されており、前記繊維強化樹脂は、熱可塑性繊維強化樹脂であり、前記繊維強化樹脂を供給する工程において、前記繊維強化樹脂は、融点まで加熱された後に前記金型に供給され、前記繊維強化樹脂を流動させる工程において、前記上型もしくは前記下型が前記繊維強化樹脂に接触して加圧を開始したときに、前記ピストンが前記金型通路内を前記金型の端部方向へ向かって摺動され、前記樹脂成形品を取り出す工程において、前記繊維強化樹脂が冷却された後に前記金型が開かれる。
【００１０】
さらに、本発明において、前記ピストンは、通気性を有する素材によって形成されており、前記繊維強化樹脂を流動させる工程において、前記ピストンが前記金型の端部まで摺動した後に、前記ピストンの裏側から前記ピストンを介して前記凸形状部への減圧引きが行われる。
【００１１】
そして、本発明において、前記凸形状部への減圧引きは、前記繊維強化樹脂を流動させる工程の後半に減圧を大きくする過程を有している。
【発明の効果】
【００１２】
上述の如く、本発明に係る樹脂成形品の成形方法は、上型及び下型を備え、凸成形部が設けられた金型に繊維形態が不連続の繊維強化樹脂を供給する工程と、前記上型もしくは前記下型を移動させて前記繊維強化樹脂を加圧し、前記繊維強化樹脂を前記金型の形状に合わせて流動させる工程と、前記上型もしくは前記下型を移動させて前記金型を開き、凸形状部を有する樹脂成形品を取り出す工程を含んでおり、前記金型には、前記凸形状部の形状に対応した金型通路と該金型通路内を摺動可能なピストンとが設けられ、これら金型通路及びピストンによって前記凸成形部が構成され、前記ピストンは、前記上型の前記繊維強化樹脂への加圧初期には前記繊維強化樹脂の母材面の位置に合わせてもしくは前記母材面の位置から出て配置されており、前記繊維強化樹脂を流動させる工程において、前記ピストンが前記金型通路内を前記金型の端部方向へ向かって摺動されるので、強度を高める長繊維の使用が可能となり、長繊維の流動性を促進して長繊維の分布状態や等方性を維持し、母材と同じ強度を確保しつつ良好な成形性を担保することができる。また、本発明の樹脂成形品の成形方法では、粘度の高い樹脂を用いても、リブ形状部、ボス形状部などの凸形状部を確実に成形することが可能となり、かつ、流動の際に繊維を絡めて流動する効果を有する粘度の高い樹脂を用いることで、樹脂と繊維を均一に流動させることが可能となる。
したがって、本発明の樹脂成形品の成形方法によれば、特殊な基材を用いず、強化繊維として使用する長繊維の長さや含有割合などに制限がなく、母材に必要な長繊維の長さを選択して成形品に十分な強度を持たせることができ、リブ、ボス部などを有する部品として必要な細かい形状の成形品を成形でき、汎用性に優れた高品質の成形品を提供することができるとともに、生産性の向上及び成形品コストの低減化を図ることができる。
【００１３】
また、本発明は、上型及び下型を備え、凸成形部が設けられた金型に繊維形態が不連続の繊維強化樹脂を供給する工程と、前記上型もしくは前記下型を移動させて前記繊維強化樹脂を加圧し、前記繊維強化樹脂を前記金型の形状に合わせて流動させる工程と、前記上型もしくは前記下型を移動させて前記金型を開き、凸形状部を有する樹脂成形品を取り出す工程を含む樹脂成形品の成形方法において、前記金型には、前記凸形状部の形状に対応した金型通路と該金型通路内を摺動可能なピストンとが設けられ、これら金型通路及びピストンによって前記凸成形部が構成され、前記ピストンは、前記上型の前記繊維強化樹脂への加圧初期には前記繊維強化樹脂の母材面の位置に合わせてもしくはその近くに配置されており、前記繊維強化樹脂は、熱可塑性繊維強化樹脂であり、前記繊維強化樹脂を供給する工程において、前記繊維強化樹脂は、融点まで加熱された後に前記金型に供給され、前記繊維強化樹脂を流動させる工程において、前記上型もしくは前記下型が前記繊維強化樹脂に接触して加圧を開始したときに、前記ピストンが前記金型通路内を前記金型の端部方向へ向かって摺動され、前記樹脂成形品を取り出す工程において、前記繊維強化樹脂が冷却された後に前記金型が開かれるので、流動性の低い熱可塑性繊維強化樹脂を使用した場合でも、加圧と流動に合わせてピストンを摺動させることができ、早めにピストンが動くことで成形不良となる空間を生じる可能性を防ぐことができる。
【００１４】
さらに、本発明において、前記ピストンは、通気性を有する素材によって形成されており、前記繊維強化樹脂を流動させる工程において、前記ピストンが前記金型の端部まで摺動した後に、前記ピストンの裏側から前記ピストンを介して前記凸形状部への減圧引きが行われるので、繊維強化樹脂の流動性をより一層促進することができ、リブ形状部、ボス形状部などの凸形状部を確実に成形でき、粘度の高い樹脂を用いることで、流動に際して繊維を絡めながら流動するという効果を得ることができ、樹脂と繊維を均一に流動させて高品質の成形品を成形することができる。
【００１５】
そして、本発明において、前記凸形状部への減圧引きは、前記繊維強化樹脂を流動させる工程の後半に減圧を大きくする過程を有しているので、繊維強化樹脂を均一にかつ効率的に流動させることができる。減圧の割合において、繊維強化樹脂を流動させる工程の前半は、繊維強化樹脂が金型の凸成形部の浅い部分に流動するため低減圧でも良く、工程の後半は、繊維強化樹脂が金型の凸成形部の深い部分の細部に流動するため大きな減圧の方が均質な流動が得られるので、工程の後半に減圧を大きくすることが有効な方法と言えるからである。
【図面の簡単な説明】
【００１６】
【図１】本発明の実施の形態に係る樹脂成形品の成形方法を実施する金型に熱可塑性繊維強化樹脂を供給（チャージ）した状態を示す概念斜視図である。
【図２】図１の熱可塑性繊維強化樹脂を加圧する前の状態を示す断面図である。
【図３】図１の熱可塑性繊維強化樹脂を加圧する初期の状態を示す断面図である。
【図４】図１の熱可塑性繊維強化樹脂を加圧する中期の状態を示す断面図である。
【図５】図１の熱可塑性繊維強化樹脂を加圧する後期の状態を示す断面図である。
【図６】本発明の実施の形態に係る樹脂成形品の成形方法において、減圧と時間との関係を説明するグラフである。
【発明を実施するための形態】
【００１７】
以下、本発明を図示の実施の形態に基づいて詳細に説明する。
図１〜図６は本発明の実施形態に係る樹脂成形品の成形方法を実施する金型及び熱可塑性繊維強化樹脂を示すものである。
【００１８】
本実施形態の成形方法は、プレス機で熱可塑性繊維強化樹脂１を加圧するスタンピング成形であり、図１〜図５に示すように、使用される熱可塑性繊維強化樹脂１の繊維形態は、不連続の繊維が好ましい。また、繊維としては、炭素繊維、ガラス繊維、アラミド繊維、スチール繊維などの多様な繊維が挙げられる。さらに、母材樹脂としては、ポリアミド、ポリプロピレン、ポリカーボネート等、熱可塑性樹脂であれば、適用可能である。
本実施形態の成形方法により成形される樹脂成形品１１は、一体成形されたリブ形状部もしくはボス形状部などの凸形状部１２を有しており、該凸形状部１２は、所定の厚さ及び高さで、成形品本体１３の表面から突出している。
【００１９】
本実施形態の成形方法に使用される金型２は、図１〜図５に示すように、下面に凸部３ａを有する上型３と、上面に上型３の凸部３ａと嵌合し、かつ供給（チャージ）した熱可塑性繊維強化樹脂１を入れる凹部４ａを有する下型４とを備えており、上型２は、図外の駆動手段によって、凹部４ａに入れた熱可塑性繊維強化樹脂１の加圧時に下降し、樹脂成形品１１の金型２からの取り出し時に上昇するように構成されている。一方、下型４の上面中央部には、凹部４ａの底面から金型２の端部である下面まで金型２の上下方向に沿って延在しながら貫通する金型通路４２と、上型３による加圧後に当該金型通路４２内を金型２の端部方向（下型４の下面側）へ向かって摺動可能なピストン４３とが設けられており、これら金型通路４２及びピストン４３によって、樹脂成形品１１の凸形状部１２を成形する凸成形部４１が構成されている。
【００２０】
このため、金型通路４２は、スタンピング成形する樹脂成形品１１の凸形状部１２に対応した形状及び大きさに形成されている。また、ピストン４３は、下型４の凹部４ａ側に配置される先端ピストン部４３ａと、下型４の下面側に配置される基端ピストン部４３ｂとから構成されており、上型３による熱可塑性繊維強化樹脂１への加圧初期には、熱可塑性繊維強化樹脂１の母材面の位置に合わせてもしくは母材面の近くに（少し凹んでいてもまたは少し出ていても良い）配置されている。
先端ピストン部４３ａは、通気性を有する素材である多孔質金属によって製作され、基端ピストン部４３ｂは、内部に真空引き（減圧引き）用通路４４を有する筒状の真空引き構造体に形成されており、真空引き用通路４４は、先端ピストン部４３ａと外部との間を連通し、図５の矢印で示すように、樹脂成形品１１の凸形状部１２を真空引きするための真空ポンプ（図示せず）などの減圧手段に接続されている。
【００２１】
凸形状部１２への真空引きは、図５に示すように、ピストン４３の先端ピストン部４３ａが金型２の端部である下型４の下面まで摺動した後に、ピストン４３の裏側である基端ピストン部４３ｂから先端ピストン部４３ａを介して行われるようになっている。このような真空引き構造を金型２の凸成形部４１に設け、凸形状部１２への真空引きを行うことによって、熱可塑性繊維強化樹脂１の流動性が促進され、所望の形状の凸形状部１２が成形されることになり、樹脂と繊維を均一に流動させた高品質の樹脂成形品１１が得られるようになっている。
しかも、凸形状部１２への真空引きにおける減圧の大きさは、図６の破線で示すように、時間の経過に伴って一定の割合で単調に増加する必要はなく、図６の実線もしくは一点鎖線で示すように、熱可塑性繊維強化樹脂１を金型２の凸成形部４１の深い部分に流動させる工程の後半（例えば、加圧終了前）に所定時間減圧を大きくするような過程を有していれば良い。
【００２２】
本実施形態の樹脂成形品１１の成形方法は、次のような手順で行われる。
すなわち、本実施形態の成形方法は、主として、（ｉ）上型３を上昇させて開いた状態にある金型２に熱可塑性繊維強化樹脂１を供給する工程と、（ｉｉ）上型３を下降させて熱可塑性繊維強化樹脂１を加圧流動させる工程と、（ｉｉｉ）上型３を上昇させて金型２を開き、樹脂成形品１１を取り出す工程とを含んでいる。
（ｉ）熱可塑性繊維強化樹脂１を供給する工程において、予め熱可塑性繊維強化樹脂１を融点まで加熱し、図２に示すように、溶融した熱可塑性繊維強化樹脂１を図外の供給手段で下型４の凹部４ａ内に入れる。
【００２３】
（ｉｉ）次いで、熱可塑性繊維強化樹脂１を流動させる工程において、図３の矢印で示すように、上型３を下降させて熱可塑性繊維強化樹脂１に接触させ、加圧を開始する。この状態では、凸成形部４１を構成するピストン４３の先端ピストン部４３ａが熱可塑性繊維強化樹脂１の母材面の位置に合わせてもしくは母材面の近くに配置されている。そのため、熱可塑性繊維強化樹脂１が流動を開始したタイミングで、ピストン４３の先端ピストン部４３ａ及び基端ピストン部４３ｂを、図１及び図４に示すように、金型２の端部方向である下型４の下面側へ向かって金型通路４２内を摺動させる。これに伴い、熱可塑性繊維強化樹脂１が金型通路４２内を流動することになる。
そして、上型３を更に下降させて熱可塑性繊維強化樹脂１への加圧を続けると、図５に示すように、ピストン４３の先端ピストン部４３ａが金型通路４２内を摺動して金型２の端部である下型４の下面に到達する。この時点で、図示しない減圧手段によりピストン４３の裏側である基端ピストン部４３ｂから先端ピストン部４３ａを介して凸形状部１２への真空引きを所定時間にわたり行い、要求された凸成形部１２を有する樹脂成形品１１を成形する。
【００２４】
（ｉｉｉ）次いで、樹脂成形品１１を冷却し、樹脂成形品１１の冷却後、上型４を上昇させて金型２を開く。しかる後、樹脂成形品１１を金型２から取り出せば、樹脂成形品１１の成形工程が終了することになる。
【００２５】
このように、本発明の実施形態に係る樹脂成形品１１の成形方法では、上型３及び下型４を備え、凸成形部４１が設けられた金型２に繊維形態が不連続で融点まで加熱された熱可塑性繊維強化樹脂１を供給する工程と、上型３を下降させて熱可塑性繊維強化樹脂１を加圧し、熱可塑性繊維強化樹脂１を金型２の形状に合わせて流動させる工程と、上型３を上昇させて金型２を開き、凸形状部１２を有する樹脂成形品１１を取り出す工程を含み、金型２には、凸形状部１２の形状に対応した金型通路４２と金型通路４２内を摺動可能なピストン４３とが設けられ、金型通路４２及びピストン４３によって凸成形部４１が構成され、ピストン４３は、上型３の熱可塑性繊維強化樹脂１への加圧初期には熱可塑性繊維強化樹脂１の母材面の位置に合わせてもしくは母材面の近くに配置されており、熱可塑性繊維強化樹脂１を流動させる工程において、ピストン４３が金型通路４２内を金型２の端部方向である下型４の下面側へ向かって摺動される。
したがって、本発明の樹脂成形品１１の成形方法によれば、強度を高める効果を有する長繊維や粘度の高い樹脂の使用が可能となり、かつ長繊維の流動性を促進して長繊維の分布状態や等方性を維持することが可能となり、リブ形状部、ボス形状部などの細かな形状の凸形状部１２を有する高強度の樹脂成形品１１を成形することができる。しかも、従来技術のような特殊基材を用いる必要がなく、かつ強化繊維として使用する長繊維の長さや含有割合などに制限がなく、母材に必要な長繊維の長さを選択して樹脂成形品１１に十分な強度を持たせることができ、汎用性に優れた高品質の樹脂成形品１１を低コストで得ることができる。
【００２６】
また、本実施形態の樹脂成形品１１の成形方法では、熱可塑性繊維強化樹脂１を供給する工程において、熱可塑性繊維強化樹脂１が融点まで加熱された後に金型２に供給され、熱可塑性繊維強化樹脂１を流動させる工程において、上型３が熱可塑性繊維強化樹脂１に接触して加圧を開始したときに、ピストン４３が金型通路４２内を金型２の端部方向である下型４の下面側へ向かって摺動され、樹脂成形品１１を取り出す工程において、熱可塑性繊維強化樹脂１が冷却された後に金型２が開かれるので、流動性の低い熱可塑性繊維強化樹脂１を使用した場合でも、熱可塑性繊維強化樹脂１への加圧と熱可塑性繊維強化樹脂１の流動に合わせてピストン４３を摺動させることができ、早めにピストン４３が動くことで成形不良となる空間発生を防止することができる。さらに、ピストン４３は、通気性を有する素材の多孔質金属で製作された先端ピストン部４３ａと、内部に真空引き（減圧引き）用通路４４を有する筒状の真空引き構造体の基端ピストン部４３ｂとによって構成されており、熱可塑性繊維強化樹脂１を流動させる工程において、ピストン４３が金型２の端部まで摺動した後に、ピストン４３の裏側からピストン４３を介して凸形状部１２への減圧引きが行われるので、熱可塑性繊維強化樹脂１の流動性をより一層促進することができ、凸形状部１２を確実に成形でき、高品質の樹脂成形品１１を容易に成形することができる。
【００２７】
以上、本発明の実施の形態につき述べたが、本発明は既述の実施の形態に限定されるものではなく、本発明の技術的思想に基づいて各種の変形及び変更が可能である。
例えば、既述の実施の形態では、繊維強化樹脂として熱可塑性繊維強化樹脂１が使用されているが、熱可塑性素材以外の繊維強化樹脂も使用することが可能である。また、既述の実施の形態では、下型４に凸成形部４１が設けられているが、上型３に凸成形部４１が設けられ、もしくは上下型３，４に凸成形部４１が設けられていても良い。さらに、上型３が移動するために下降及び上昇するだけでなく、下型４が移動するために上昇及び下降しても良い。
【符号の説明】
【００２８】
１  熱可塑性繊維強化樹脂
２  金型
３  上型
４  下型
１１  樹脂成形品
１２  凸形状部
１３  成形品本体
４１  凸成形部
４２  金型通路
４３  ピストン
４３ａ  先端ピストン部
４３ｂ  基端ピストン部
４４  真空引き用通路
【図１】
0006308390.tif 000002
【図２】
0006308390.tif 000003
【図３】
0006308390.tif 000004
【図４】
0006308390.tif 000005
【図５】
0006308390.tif 000006
【図６】
0006308390.tif 000007